(57)【要約】  【課題】比較的大電流の供給を受ける配線基板の小型化を安価に達成できる端子台装置を提供する。  【解決手段】絶縁材により成形した端子台本体11に端子金具12を嵌着し、この端子金具12に、電線を接続するねじ13を設ける。端子金具12は、ねじ13を取付けた＋側の金具本体部16および−側の金具本体部17から、電気回路部品を搭載して電気的に接続する＋側の電路部18および−側の電路部19をそれぞれ一体に突設する。これらの電路部18，19の一部を折曲して、配線基板に接続する基板接続部22を形成する。  【選択図】図１
2005116319.tif 000002
【特許請求の範囲】
【請求項１】
絶縁材により成形された端子台本体と、
この端子台本体に嵌着され配線基板に接続される端子金具と、
この端子金具に設けられ電線を接続する電線接続手段とを具備し、
端子金具は、
電線接続手段が取付けられた金具本体部と、
この金具本体部から一体に突設され電気回路部品が搭載されて電気的に接続される電路部と、
この電路部の一部を折曲して形成され配線基板に接続される基板接続部と
を具備したことを特徴とする端子台装置。
【請求項２】
端子台本体は、電線接続手段を囲む凹部を有し、
この凹部の開口縁に着脱可能に設けられたカバー板
を具備したことを特徴とする請求項１記載の端子台装置。
【請求項３】
端子台本体は、
端子金具の金具本体部を挿入する開口部と、
この開口部に挿入された金具本体部を係止する係止部とを具備し、
端子金具は、
金具本体部を端子台本体の係止部まで挿入した状態で抜止め係止する逆止爪を有する
ことを特徴とする請求項１または２記載の端子台装置。
【請求項４】
端子金具の金具本体部は、分離形成された＋側の金具本体部および−側の金具本体部を有し、
端子金具の電路部は、
分離可能な＋側の電路部および−側の電路部と、
＋側の電路部と−側の電路部とを切離し可能に一体化した連結部と
を具備したことを特徴とする請求項１乃至３のいずれか記載の端子台装置。
【発明の詳細な説明】
【技術分野】
【０００１】
本発明は、配線基板に接続される端子台装置に関するものである。
【背景技術】
【０００２】
絶縁材により成形された端子台本体と、この端子台本体に嵌着され配線基板に接続される端子金具と、この端子金具に螺着された電線接続用のねじとを具備した端子台装置がある（例えば、特許文献１参照）。
【０００３】
この端子台装置をスイッチング電源回路基板などの比較的大電流が供給される配線基板に用いる場合、配線基板の導体層が通常の細く薄い銅箔パターンでは大電流に耐えられないので、この導体層の幅すなわちパターン幅を拡張したり、配線基板の導体層に増厚導体を形成したり（例えば、特許文献２参照）、配線基板の導体層に沿って電源供給用の銅板補強体を設置して、この銅板補強体に電気回路部品をはんだ付けするようにしている（例えば、特許文献３参照）。
【特許文献１】意匠登録第９１８４０８号公報（第１頁、Ａ−Ａ断面図）
【特許文献２】特開平１０−３２１９７１号公報（第３頁、図１）
【特許文献３】特開平７−５５８７７号公報（第３頁、図２）
【発明の開示】
【発明が解決しようとする課題】
【０００４】
このように、比較的大電流が供給される配線基板に端子台装置を用いるため、配線基板の導体層を拡幅する場合は、配線基板の小型化が困難となる問題があり、また、配線基板の導体層を増厚したり、配線基板の導体層に沿って電源供給用の銅板補強体を設置する場合は、手間やコストがかかる問題がある。
【０００５】
本発明は、このような点に鑑みなされたもので、比較的大電流が供給される配線基板の小型化を安価に達成できる端子台装置を提供することを目的とするものである。
【課題を解決するための手段】
【０００６】
請求項１記載の発明は、絶縁材により成形された端子台本体と、この端子台本体に嵌着され配線基板に接続される端子金具と、この端子金具に設けられ電線を接続する電線接続手段とを具備し、端子金具は、電線接続手段が取付けられた金具本体部と、この金具本体部から一体に突設され電気回路部品が搭載されて電気的に接続される電路部と、この電路部の一部を折曲して形成され配線基板に接続される基板接続部とを具備した端子台装置であり、電線接続手段が取付けられた端子金具の金具本体部から電路部を一体に突設して、この電路部に電気回路部品を搭載して電気的に接続するとともに、この電路部と配線基板とを基板接続部により接続することで、端子金具側で部品搭載を受け持つことにより、配線基板側の負担を軽くしたので、配線基板の導体層を拡幅する場合より、配線基板を小型化でき、また、配線基板の導体層を増厚したり銅板で補強する場合より、手間やコストがかからず、比較的大電流が供給される配線基板の小型化を安価に達成できる。
【０００７】
請求項２記載の発明は、請求項１記載の端子台装置における端子台本体が、電線接続手段を囲む凹部を有し、この凹部の開口縁に着脱可能に設けられたカバー板を具備した端子台装置であり、電線接続手段を囲む凹部の開口縁にカバー板を着脱可能に設けることで、電線接続手段に対する外部からの接触をカバー板によって防止できる。
【０００８】
請求項３記載の発明は、請求項１または２記載の端子台装置における端子台本体が、端子金具の金具本体部を挿入する開口部と、この開口部に挿入された金具本体部を係止する係止部とを具備し、端子金具は、金具本体部を端子台本体の係止部まで挿入した状態で抜止め係止する逆止爪を有する端子台装置であり、端子台本体の係止部まで端子金具の金具本体部を挿入するのみで、端子金具の逆止爪により金具本体部を抜止め係止できるので、端子台本体に対する端子金具の組付を容易にできる。
【０００９】
請求項４記載の発明は、請求項１乃至３のいずれか記載の端子台装置における端子金具の金具本体部が、分離形成された＋側の金具本体部および−側の金具本体部を有し、端子金具の電路部は、分離可能な＋側の電路部および−側の電路部と、＋側の電路部と−側の電路部とを切離し可能に一体化した連結部とを具備した端子台装置であり、端子台本体に対し端子金具を組付ける際は、＋側の電路部および−側の電路部の連結部により一体化された＋側の金具本体部および−側の金具本体部を端子台本体に同時に能率よく嵌着できるとともに、この嵌着後は、＋側の電路部と−側の電路部との間の連結部を切離すことで、これらを容易に独立させることができる。
【発明の効果】
【００１０】
請求項１記載の発明によれば、電線接続手段が取付けられた端子金具の金具本体部から電路部を一体に突設して、この電路部に電気回路部品を搭載して電気的に接続するとともに、この電路部と配線基板とを基板接続部により接続することで、端子金具側で部品搭載を受け持つことにより、配線基板側の負担を軽くしたので、配線基板の導体層を拡幅する場合より、配線基板を小型化でき、また、配線基板の導体層を増厚したり銅板で補強する場合より、手間やコストがかからず、比較的大電流が供給される配線基板の小型化を安価に達成できる。
【００１１】
請求項２記載の発明によれば、電線接続手段を囲む凹部の開口縁にカバー板を着脱可能に設けることで、電線接続手段に対する外部からの接触をカバー板によって防止できる。
【００１２】
請求項３記載の発明によれば、端子台本体の係止部まで端子金具の金具本体部を挿入するのみで、端子金具の逆止爪により金具本体部を抜止め係止できるので、端子台本体に対する端子金具の組付を容易にできる。
【００１３】
請求項４記載の発明によれば、端子台本体に対し端子金具を組付ける際は、＋側の電路部および−側の電路部の連結部により一体化された＋側の金具本体部および−側の金具本体部を端子台本体に同時に能率よく嵌着できるとともに、この嵌着後は、＋側の電路部と−側の電路部との間の連結部を切離すことで、これらを容易に独立させることができる。
【発明を実施するための最良の形態】
【００１４】
以下、本発明を、図１乃至図１２に示される一実施の形態を参照しながら詳細に説明する。
【００１５】
図１は、例えばスイッチング電源回路基板などの比較的大電流が供給される配線基板に設置される端子台装置を示し、絶縁材すなわち合成樹脂により成形された端子台本体11の内部に、配線基板に接続される端子金具12が嵌着され、この端子金具12に、電線を接続する電線接続手段としてのねじ13が設けられている。このねじ13は、ばね座金14および平座金15を介して端子金具12に螺着されている。
【００１６】
図２乃至図７に示されるように、端子金具12は、例えば銅合金板をプレスにより打抜き加工、折曲加工、絞り加工などすることによって、＋側のねじ13が取付けられる＋側の金具本体部16と、−側のねじ13が取付けられる−側の金具本体部17とが分離形成され、これらの＋側の金具本体部16および−側の金具本体部17から、電気回路部品が搭載されて電気的に接続される＋側の電路部18および−側の電路部19がそれぞれ一体に突設され、これらの＋側および−側の電路部18，19に、電気回路部品Ｗのリードを挿入してはんだ付けするためのリード挿入孔21が穿孔され、さらに、これらの電路部18，19の複数箇所の一部を下側に折曲して配線基板に接続される複数の基板接続部22が形成されている。
【００１７】
端子台本体11は、左右両側部にそれぞれ突出成形された側板部23と、中央部に突出成形された隔壁板部24とによって、＋側および−側のねじ13を囲む凹部25をそれぞれ有し、これらの凹部25の開口縁に透明樹脂製のカバー板26が着脱可能に設けられている。このカバー板26には、各ねじ13に対応する位置に、ねじ回し工具を挿入するための工具挿入穴27が開口されている。
【００１８】
すなわち、図１に示されるように、端子台本体11の左右両側の側板部23には、カバー板26を嵌着するためのカバー板嵌着凹部28がそれぞれ設けられ、また、中央の隔壁板部24には、左右のカバー板嵌着凹部28と等しいレベルでカバー板26を受けるカバー板受け面29が設けられ、さらに、図８に示されるように、左右のカバー板嵌着凹部28に連続する各側板部23の中央部には、カバー板26を係止するためのカバー板係合穴31がそれぞれ設けられ、一方、図９に示されるように、カバー板26の左右両端部には、端子台本体11側の各カバー板係合穴31に係合されるカバー板係合凸部32がそれぞれ一体成形されている。
【００１９】
また、端子金具12の＋側および−側の各金具本体部16，17は、図１０および図１１に示されるように、ねじ13が螺入されるねじ螺合部33が設けられた電線接続面部34に対し、上板部35および下板部36が折曲されて一体に形成され、これらの上板部35および下板部36の各左右端面部には、凸部37がそれぞれ設けられている。
【００２０】
さらに、図８に示されるように端子台本体11は、端子金具12の＋側の金具本体部16および−側の金具本体部17を挿入する＋側および−側の開口部41をそれぞれ有し、これらの開口部41の各４隅部には、図１１に示されるように図４に示される側から凹溝部42が設けられ、これらの凹溝部42には、図１０および図１１に示された金具本体部16，17の上板部35および下板部36の凸部37が嵌入される。
【００２１】
さらに、図１１に示されるように端子台本体11の各凹溝部42の奥端には、各開口部41に挿入された金具本体部16，17の凸部37を係止する係止部43が設けられ、一方、金具本体部16，17の凸部37には、図１２に示されるようにこの凸部37を端子台本体11の係止部43まで挿入した状態で端子金具12を抜止め係止する逆止爪44が、図１０に示されるように鋸刃状に設けられている。
【００２２】
図１０に示されるように、端子金具12は、＋側の金具本体部16と一体の＋側の電路部18と、−側の金具本体部17と一体の−側の電路部19とが、複数の連結部45，46を介して分離可能に成形されている。
【００２３】
すなわち、これらの＋側の電路部18と−側の電路部19は、複数の連結部45，46により切離し可能に一体化されているが、端子台本体11に端子金具12が組付けられた後に、各連結部45，46は、図２に示されるように除去される。＋側および−側の電路部18，19は、それぞれ複数の平板状に形成された電路部18a，19aと、これらの平板状の電路部18a，19aを結合する側板状の電路部18b，19bとにより、立体的に設けられている。
【００２４】
次に、この端子台装置の組立方法および使用方法を説明する。
【００２５】
図１０に示されるように連結部45，46で＋側の電路部18と−側の電路部19とが一体化された端子金具12の＋側および−側の金具本体部16，17を、端子台本体11の＋側および−側の各開口部41に同時に嵌入する。
【００２６】
このとき、図１１から図１２に示されるように、端子金具12の金具本体部16，17に設けられた凸部37を、端子台本体11の凹溝部42に差込み、その凸部37が凹溝部42の奥端に位置する係止部43に当たるまで圧入すると、逆止爪44が端子台本体11の内面に食込んで端子金具12の抜出しを防止するので、端子台本体11と端子金具12とを簡単に組付けることができる。
【００２７】
このようして、端子台本体11に端子金具12を組付けた後、連結部45，46をプレスなどの抜き落しにより除去することで、＋側の電路部18と−側の電路部19とを分離する。＋側の電路部18と−側の電路部19とを連結部45，46で一体化した状態で端子金具12を端子台本体11に組付けると、能率良く組付けることができる。
【００２８】
ねじ13は、端子台本体11に組付けられた端子金具12のねじ螺合部33に螺入しても良いが、端子台本体11に組付ける前の端子金具12のねじ螺合部33に、ばね座金14および平座金15を通してあらかじめ螺着しておいても良い。
【００２９】
さらに、端子台本体11の左右の各側板部23に設けられたカバー板係合穴31にカバー板26の左右両端部のカバー板係合凸部32を挿入しつつ、各側板部23のカバー板嵌着凹部28にカバー板26の左右両側部を嵌着し、このカバー板26により、外部のテストフィンガなどがねじ13に接触することを防止する。
【００３０】
そして、図２に示されるように、端子金具12の＋側の電路部18および−側の電路部19のリード挿入孔21に、比較的大電流の供給を受ける電源回路のコンデンサ、トランスなどの電気回路部品Ｗのリードを挿入して、はんだ付けし、さらに、この部品搭載した端子金具12の複数の基板接続部22を、図３乃至図５に示されるように配線基板Ｐの孔に挿入して、下面よりはんだ付け固定する。
【００３１】
その際、端子金具12の基板接続部22は、配線基板Ｐの配線回路パターンのリード挿入孔に挿入してはんだ付けにより電気的に接続するか、配線基板Ｐの取付孔に挿入してはんだ付けにより機械的に接続する。また、電気回路部品Ｗは、端子金具12の＋側の電路部18と−側の電路部19とにわたって接続しても良いし、これらの電路部18，19の一方と配線基板Ｐの配線回路パターンとにわたって接続しても良い。
【００３２】
この端子台装置に電源側の電線を接続するときは、カバー板26の工具挿入穴27から挿入したねじ回し工具によりねじ13を緩め、金具本体部16，17の電線接続面部34と平座金15との間に電線側の端子板を挿入して、ねじ13を締める。
【００３３】
次に、この端子台装置の効果を説明する。
【００３４】
ねじ13が取付けられた端子金具12の金具本体部16，17から電路部18，19を一体に突設して、これらの電路部18，19に電気回路部品Ｗを搭載して電気的に接続するとともに、これらの電路部18，19と配線基板Ｐとを基板接続部22により接続することで、端子金具12側で部品搭載を受け持つことにより、配線基板Ｐ側の負担を軽くしたので、配線基板Ｐの導体層を拡幅する場合より、配線基板Ｐを小型化でき、また、配線基板Ｐの導体層を増厚したり銅板で補強する場合より、手間やコストがかからず、比較的大電流が供給される配線基板Ｐの小型化を安価に達成できる。
【００３５】
また、ねじ13を囲む凹部25の開口縁に透明なカバー板26を着脱可能に設けることで、ねじ13に対する外部からの接触をカバー板26によって防止できるとともに、カバー板26の工具挿入穴27に挿入したねじ回し工具の先端が透視できるので、ねじ13の緩め締めを容易にできる。
【００３６】
さらに、端子台本体11内の係止部43に金具本体部16，17の凸部37が当接するまで端子金具12を挿入するのみで、凸部37の逆止爪44により金具本体部16，17を抜止め係止できるので、端子台本体11に対する端子金具12の組付を容易にできる。
【００３７】
特に、端子台本体11に対し端子金具12を組付ける際は、＋側の電路部18および−側の電路部19の連結部45，46により一体化された＋側の金具本体部16および−側の金具本体部17を端子台本体11に同時に能率よく嵌着できるとともに、この嵌着後は、連結部45，46を除去して＋側の電路部18と−側の電路部19との間を切離すことで、これらを容易に独立させることができる。
【図面の簡単な説明】
【００３８】
【図１】本発明に係る端子台装置の一実施の形態を示す斜視図である。
【図２】同上端子台装置の平面図である。
【図３】同上端子台装置の正面図である。
【図４】同上端子台装置の背面図である。
【図５】同上端子台装置の側面図である。
【図６】図２のVI−VI線断面図である。
【図７】図３のVII−VII線断面図である。
【図８】同上端子台装置の端子台本体の一部を切欠いた正面図である。
【図９】同上端子台装置のカバー板の正面図である。
【図１０】同上端子台装置の分解平面図である。
【図１１】同上端子台装置の一部を切欠いた分解側面図である。
【図１２】同上端子台装置の一部を切欠いた側面図である。
【符号の説明】
【００３９】
11    端子台本体
12    端子金具
13    電線接続手段としてのねじ
16，17    金具本体部
18，19    電路部
22    基板接続部
25    凹部
26    カバー板
41    開口部
43    係止部
44    逆止爪
45，46    連結部
Ｐ    配線基板
Ｗ    電気回路部品
【図１】
2005116319.tif 000003
【図２】
2005116319.tif 000004
【図３】
2005116319.tif 000005
【図４】
2005116319.tif 000006
【図５】
2005116319.tif 000007
【図６】
2005116319.tif 000008
【図７】
2005116319.tif 000009
【図８】
2005116319.tif 000010
【図９】
2005116319.tif 000011
【図１０】
2005116319.tif 000012
【図１１】
2005116319.tif 000013
【図１２】
2005116319.tif 000014